(57)【要約】【課題】ある程度の凹凸が存在する設置面上に設置したとしても家具等の静止状態を維持し得る免震装置を提供する。【解決手段】基部２、中間部材３および物品載置部４が相互にスライド可能にこの順で積層されると共に、基部２と中間部材３との間、および中間部材３と物品載置部４との間に複数のベアリング球５，５・・がそれぞれ配設され、基部２は、その上面１１ａが平面状に形成され、中間部材３は、その下面２１ｂが平面状に形成されると共に、半球状の凸部３３と相補的形状の凹部２２が上面２１ａに形成されて積層状態において基部２の上面１１ａに沿っての基部２に対する相対的なスライドが許容され、物品載置部４は、半球状の凸部３３が下面３１ｂに形成されて凸部３３が凹部２２に嵌合するように中間部材３上に積層されて中間部材３の上面２１ａに沿っての中間部材３に対する相対的なスライドが許容されている。【選択図】図１
2006336815.tif 000002
【特許請求の範囲】
【請求項１】
基部、中間部材および物品載置部が相互にスライド可能にこの順で積層されると共に、当該基部と当該中間部材との間、および当該中間部材と当該物品載置部との間に複数のベアリング球がそれぞれ配設され、
前記基部は、前記中間部材との対向面が平面状に形成され、
前記中間部材は、前記基部との対向面が平面状に形成されると共に、半球状の凸部および当該半球状の凸部と相補的形状の凹部の一方が前記物品載置部との対向面に形成されて積層状態において前記基部の上面に沿っての当該基部に対する相対的なスライドが許容され、
前記物品載置部は、前記凸部および前記凹部の他方が前記中間部材との対向面に形成されて前記一方と当該他方とが嵌合するように当該中間部材上に積層されて当該中間部材の上面に沿っての当該中間部材に対する相対的なスライドが許容されている免震装置。
【請求項２】
前記基部に対する前記中間部材のスライド時に弾性変形してその復元力によって当該基部上の所定位置に向けて当該中間部材を当該基部に対して相対的にスライドさせる弾性変形部を備えている請求項１記載の免震装置。
【請求項３】
基部、中間部材および物品載置部が相互にスライド可能にこの順で積層されると共に、当該基部と当該中間部材との間、および当該中間部材と当該物品載置部との間に複数のベアリング球がそれぞれ配設され、
前記基部は、半球状の凸部および当該半球状の凸部と相補的形状の凹部の一方が前記中間部材との対向面に形成され、
前記中間部材は、前記物品載置部との対向面が平面状に形成されると共に、前記凸部および前記凹部の他方が前記基部との対向面に形成されて前記一方と当該他方とが嵌合するように当該基部上に積層されて当該基部の上面に沿っての当該基部に対する相対的なスライドが許容され、
前記物品載置部は、前記中間部材との対向面が平面状に形成されて積層状態において当該中間部材の上面に沿っての当該中間部材に対する相対的なスライドが許容されている免震装置。
【請求項４】
前記中間部材に対する前記物品載置部のスライド時に弾性変形してその復元力によって当該中間部材上の所定位置に向けて当該物品載置部を当該中間部材に対して相対的にスライドさせる弾性変形部を備えている請求項３記載の免震装置。
【請求項５】
前記複数のベアリング球を位置決めする複数の球受け穴が前記基部における前記中間部材との対向面、および前記中間部材における前記物品載置部との対向面の少なくとも一方に形成されている請求項１から４のいずれかに記載の免震装置。
【請求項６】
前記基部は、弾性変形が可能に構成された脚を備えている請求項１から５のいずれかに記載の免震装置。
【請求項７】
前記物品載置部は、当該物品載置部に物品を固定する固定具を備えている請求項１から６のいずれかに記載の免震装置。
【発明の詳細な説明】
【技術分野】
【０００１】
本発明は、例えば地震発生時における棚や保管庫等（物品）の転倒を回避し得る免震装置に関するものである。
【背景技術】
【０００２】
この種の免震装置として、家具等を載置可能に構成された家具用二段免震装置（以下、「免震装置」ともいう）が特開平１１−２６２４２２号公報に開示されている。この免震装置は、相互にスライド可能に積み重ねられた本体および家具乗せ台を備えて構成されている。また、本体は、床面に接するようにして配設された複数のベアリングと、家具乗せ台に接するようにして配設された複数のベアリングとを備えている。この免震装置では、地震発生時において、本体が床面に対して相対的にスライドすると共に床面に対する本体とのスライド方向とは逆向きに家具乗せ台が本体に対して相対的にスライドすることにより、家具乗せ台上に載置された家具の静止状態が維持される。これにより、家具の転倒が回避される。
【０００３】
一方、特開平８−２２６４９０号公報には、家具等の底面への取り付けが可能に構成された免震装置が開示されている。この免震装置は、家具等に取り付けるための平板状の鉄板が一端側に固定されると共に皿状のバネ側円板が他端側に固定されたバネ（弦巻ばね）と、床面に設置される皿状の床側円板と、バネ側円板および床側円板の間に挟み込まれるようにして配設される球とを備え、一例として、家具の底面における四隅に取り付けられる。この免震装置では、地震発生時に、床側円板とバネ側円板との間で球が転動してバネ側円板が床側円板に対して相対的にスライドすることにより、バネやバネ側円板の静止状態、すなわち、免震装置が取り付けられた家具の静止状態が維持される。これにより、家具の転倒が回避される。
【特許文献１】特開平１１−２６２４２２号公報（第２−３頁、図５）
【特許文献２】特開平８−２２６４９０号公報（第２頁、図１）
【発明の開示】
【発明が解決しようとする課題】
【０００４】
ところが、従来の免震装置には、以下の問題点がある。すなわち、特許文献１に開示されている免震装置では、床面に対して本体をスムーズにスライドさせるために、本体と床面との間に複数のベアリングを配設した構成が採用されている。この場合、家具等を設置する床面は、ある程度の歪み（凹凸）や傾斜が生じていることが多い。このような状態の床面にこの免震装置を用いて家具を設置した場合、免震装置および家具の荷重が各ベアリングに対して均等に分散されずに、複数のベアリングのうちの極く一部のベアリングにのみ大きな荷重が集中的に加わることとなる。したがって、この免震装置には、床面に対する本体のスムーズなスライドが阻害されて、地震発生時等に家具の静止状態を維持するのが困難であるという問題点が存在する。
【０００５】
一方、特許文献２に開示されている免震装置では、鉄板とバネ側円板との間にバネを設けたことにより、家具等を設置する床面にある程度の歪みや傾斜（床面の凹凸）が生じていたとしても、バネの伸縮によって、この凹凸が吸収されて各球に加わる荷重をほぼ均一にすることが可能となっている。しかし、例えば背面側に冷凍機が搭載された冷蔵庫にこの免震装置を取り付けた場合、冷蔵庫における背面側が冷凍機の重さの分だけ重くなっていることに起因して、四隅に取り付けた免震装置のうちの背面側の免震装置におけるバネが大きく縮み、冷蔵庫が後傾した状態となる。一方、このような家具等の傾きを回避すべく、バネレートが十分に高いバネを採用した場合、床面の凹凸を吸収するのが困難となるため、スムーズにスライドさせることができなくなる。このように、この免震装置には、家具等を傾かせることなく地震発生時等に静止状態を維持するのが困難であるという問題点が存在する。
【０００６】
本発明は、かかる問題点に鑑みてなされたものであり、ある程度の凹凸が存在する設置面上に設置したとしても家具等の静止状態を維持し得る免震装置を提供することを主目的とする。
【課題を解決するための手段】
【０００７】
上記目的を達成すべく、請求項１記載の免震装置は、基部、中間部材および物品載置部が相互にスライド可能にこの順で積層されると共に、当該基部と当該中間部材との間、および当該中間部材と当該物品載置部との間に複数のベアリング球がそれぞれ配設され、
前記基部は、前記中間部材との対向面が平面状に形成され、前記中間部材は、前記基部との対向面が平面状に形成されると共に、半球状の凸部および当該半球状の凸部と相補的形状の凹部の一方が前記物品載置部との対向面に形成されて積層状態において前記基部の上面に沿っての当該基部に対する相対的なスライドが許容され、前記物品載置部は、前記凸部および前記凹部の他方が前記中間部材との対向面に形成されて前記一方と当該他方とが嵌合するように当該中間部材上に積層されて当該中間部材の上面に沿っての当該中間部材に対する相対的なスライドが許容されている。なお、本明細書における「基部に対する中間部材の相対的なスライド」とは、基部および中間部材の少なくとも一方が他方に対してスライドすることによって基部に対する中間部材の絶対位置が変化する動きを意味する。具体的には、静止状態の基部に対して中間部材がスライドして基部に対する中間部材の絶対位置が変化する動きと、静止状態の中間部材に対して基部がスライドして基部に対する中間部材の絶対位置が変化する動きと、基部および中間部材の双方が互いにスライドして基部に対する中間部材の絶対位置が変化する動きとの３つの動きが「相対的なスライド」含まれるものとする。同様にして、「中間部材に対する物品載置部の相対的なスライド」とは、中間部材および物品載置部の少なくとも一方が他方に対してスライドすることによって中間部材に対する物品載置部の絶対位置が変化する動きを意味する。
【０００８】
また、請求項２記載の免震装置は、請求項１記載の免震装置において、前記基部に対する前記中間部材のスライド時に弾性変形してその復元力によって当該基部上の所定位置に向けて当該中間部材を当該基部に対して相対的にスライドさせる弾性変形部を備えている。
【０００９】
また、請求項３記載の免震装置は、基部、中間部材および物品載置部が相互にスライド可能にこの順で積層されると共に、当該基部と当該中間部材との間、および当該中間部材と当該物品載置部との間に複数のベアリング球がそれぞれ配設され、前記基部は、半球状の凸部および当該半球状の凸部と相補的形状の凹部の一方が前記中間部材との対向面に形成され、前記中間部材は、前記物品載置部との対向面が平面状に形成されると共に、前記凸部および前記凹部の他方が前記基部との対向面に形成されて前記一方と当該他方とが嵌合するように当該基部上に積層されて当該基部の上面に沿っての当該基部に対する相対的なスライドが許容され、前記物品載置部は、前記中間部材との対向面が平面状に形成されて積層状態において当該中間部材の上面に沿っての当該中間部材に対する相対的なスライドが許容されている。
【００１０】
また、請求項４記載の免震装置は、請求項３記載の免震装置において、前記中間部材に対する前記物品載置部のスライド時に弾性変形してその復元力によって当該中間部材上の所定位置に向けて当該物品載置部を当該中間部材に対して相対的にスライドさせる弾性変形部を備えている。
【００１１】
さらに、請求項５記載の免震装置は、請求項１から４のいずれかに記載の免震装置において、前記複数のベアリング球を位置決めする複数の球受け穴が前記基部における前記中間部材との対向面、および前記中間部材における前記物品載置部との対向面の少なくとも一方に形成されている。
【００１２】
また、請求項６記載の免震装置は、請求項１から５のいずれかに記載の免震装置において、弾性変形が可能に構成された脚を備えて前記基部が構成されている。
【００１３】
さらに、請求項７記載の免震装置は、請求項１から６のいずれかに記載の免震装置において、前記物品載置部に物品を固定する固定具を備えて当該物品載置部が構成されている。
【発明の効果】
【００１４】
請求項１記載の免震装置によれば、複数のベアリング球を介して、基部、中間部材および物品載置部をこの順で積層すると共に、中間部材における物品載置部との対向面に半球状の凸部および半球状の凸部と相補的形状の凹部の一方を形成し、物品載置部における中間部材との対向面に上記の凸部および凹部の他方を形成したことにより、設置面に歪みや傾きが生じていたとしても、中間部材に対する物品載置部のスライド（傾動）によって物品載置部の上面をほぼ水平な状態に維持することができる。このため、この物品載置部の上面に載置されている物品（家具等）の荷重を基部と中間部材との間に配設されている複数のベアリング球に対してほぼ均等に分散できる結果、基部に対して中間部材をスムーズにスライドさせることができる。したがって、設置面の横揺れに起因する家具等の揺れを十分に軽減することができるため、地震発生時において家具等の静止状態を維持してその転倒を回避することができる。
【００１５】
また、請求項２記載の免震装置によれば、基部に対する中間部材のスライド時に弾性変形してその復元力によって基部上の所定位置に中間部材を相対的にスライドさせる弾性変形部を備えたことにより、中間部材が基部に対して相対的にスライドさせられた後に弾性変形部によって基部上の所定位置に復帰させられるため、中間部材が基部上から脱落する事態を回避することができる。また、例えば、免震装置上の物品（家具等）に歩行者等の身体が触れただけで基部（設置面）に対して中間部材がスライドして家具等が移動してしまう事態を回避することができる。
【００１６】
さらに、請求項３記載の免震装置によれば、複数のベアリング球を介して、基部、中間部材および物品載置部をこの順で積層すると共に、基部における中間部材との対向面に半球状の凸部および半球状の凸部と相補的形状の凹部の一方を形成し、中間部材における物品載置部との対向面に上記の凸部および凹部の他方を形成したことにより、設置面に歪みや傾きが生じていたとしても、基部に対する中間部材のスライド（傾動）によって物品載置部の上面をほぼ水平な状態に維持することができる。このため、中間部材と物品載置部との間に配設されている複数のベアリング球に対して家具等の荷重をほぼ均等に分散できる結果、中間部材に対して物品載置部をスムーズにスライドさせることができる。したがって、設置面の横揺れに起因する家具等の揺れを十分に軽減することができるため、地震発生時において家具等の静止状態を維持してその転倒を回避することができる。
【００１７】
また、請求項４記載の免震装置によれば、中間部材に対する物品載置部のスライド時に弾性変形してその復元力によって中間部材上の所定位置に物品載置部を相対的にスライドさせる弾性変形部を備えたことにより、物品載置部が中間部材に対して相対的にスライドさせられた後に弾性変形部によって所定位置に復帰させられるため、物品載置部が中間部材上から脱落する事態が生じるのを回避することができる。また、例えば、免震装置上の物品（家具等）に歩行者等の身体が触れただけで中間部材（設置面）に対して物品載置部がスライドして家具等が移動してしまう事態を回避することができる。
【００１８】
さらに、請求項５記載の免震装置によれば、基部における中間部材との対向面、および中間部材における物品載置部との対向面の少なくとも一方に球受け穴を形成したことにより、基部に球受け穴を形成した場合には、免震装置の組み立て（設置）に際して、基部上に中間部材を載置する以前に各ベアリング球が基部上を転がって基部上の一カ所に集まる事態を回避することができ、中間部材に球受け穴を形成した場合には、中間部材上に物品載置部を載置する以前に各ベアリング球が中間部材上を転がって中間部材上の一カ所に集まる事態を回避することができる。これにより、各ベアリング球を基部上に均等に配置した状態、および各ベアリング球を中間部材上に均等に配置した状態を維持することができる結果、基部に対する中間部材のスムーズなスライドが可能な状態、および中間部材に対する物品載置部のスムーズなスライドが可能な状態を長期に亘って維持することができる。
【００１９】
また、請求項６記載の免震装置によれば、弾性変形が可能に構成された脚を備えて基部を構成したことにより、設置面から物品載置部上の物品（家具等）に微振動が伝達される事態を回避することができると共に、ある程度の縦揺れを十分に軽減して家具等が転倒する事態を回避することができる。また、脚を弾性材料で形成することによって設置面に対して滑り難くなるため、家具等（免震装置）の意図しない移動（設置面に対するスライド）を回避することができる。
【００２０】
さらに、請求項７記載の免震装置によれば、物品を固定する固定具を備えて物品載置部を構成したことにより、免震装置上（物品載置部上）の物品（家具等）が物品載置部の上面から脱落する事態（家具等から免震装置が外れる事態）を確実に回避することができる。
【発明を実施するための最良の形態】
【００２１】
以下、本発明に係る免震装置の最良の形態について、添付図面を参照して説明する。
【００２２】
図１，２に示す免震装置１は、棚、収納庫およびショーケース等の各種の家具Ｘ（本発明における物品の一例）の地震発生時等における転倒を回避する装置であって、図２に示すように、一例として、家具Ｘの底面における四隅に取り付けられる。この免震装置１は、図１に示すように、基部２、中間部材３および物品載置部４が相互にスライド可能にこの順で積層されると共に、基部２と中間部材３との間、および中間部材３と物品載置部４との間に複数のベアリング球５，５・・がそれぞれ配設されて構成されている。基部２は、図１，３に示すように、一例として樹脂材料で方形盆状に形成された基部本体１１と、基部本体１１における下面１１ｂの四隅に取り付けられた脚１２，１２・・とを備えている。この場合、脚１２は、本発明における「弾性変形が可能に構成された脚」の一例であって、硬質発泡樹脂やゴム等の弾性材料で形成されている。また、基部本体１１は、上面１１ａ（本発明における「中間部材との対向面」）が平面状に形成されると共に、各ベアリング球５，５・・が円形領域１１ｄ（図３参照）の外に転がり出るのを回避するための環状リブ１１ｃが設けられている。さらに、基部本体１１の中心部には、後述するセンタリング機構７における位置決め用ピン７ａを挿通させるための挿通孔１３が形成されている。また、図３に示すように、基部本体１１の４つの内壁面には、センタリング機構６が取り付けられている。
【００２３】
中間部材３は、図１に示すように、その下面２１ｂ（本発明における「基部との対向面」）が平面状に形成されると共に、下面２１ｂの中心部には、センタリング機構７の位置決め用ピン７ａが係合可能な係合用穴２３が形成されている。また、この中間部材３は、本発明における「一方」が凹部で構成された例であって、後述するように物品載置部４に形成された半球状の凸部３３と相補的形状の凹部２２が上面２１ａ（本発明における「物品載置部との対向面」）に形成されている。さらに、図１，４に示すように、上面２１ａにおける凹部２２の内面には、各ベアリング球５，５・・を中間部材３上の所定位置に位置決めするための複数の球受け穴５ａ，５ａ・・が形成されている。物品載置部４は、図１に示すように、その上面３１ａ（物品載置面）が平面状に形成されると共に、その一端側には家具Ｘの角部に当接させる当て板３２が立設されている。また、この物品載置部４は、本発明における「他方」が凸部で構成された例であって、中間部材３に形成された凹部２２に嵌合可能な半球状の凸部３３が下面３１ｂ（本発明における「中間部材との対向面」）に形成されている。さらに、当て板３２には、本発明における固定具に相当し、物品載置部４上に載置された家具Ｘを免震装置１（物品載置部４）に固定するボルト８が取り付けられている。
【００２４】
ベアリング球５は、一例としてステンレススチールで真球状に形成されている。このベアリング球５は、基部本体１１上において転動させられることで基部２に対する中間部材３の相対的なスライドに要する力を軽減すると共に、中間部材３上において転動させられることで中間部材３に対する物品載置部４の相対的なスライドに要する力を軽減する。センタリング機構６は、本発明における弾性変形部の一例であって、図１，３に示すように、スプリング（弦巻ばね）６ａを備えている。このセンタリング機構６は、後述するように、中間部材３が基部２に対して相対的にスライドさせられたときに、各センタリング機構６におけるスプリング６ａが伸縮させられて（弾性変形の一例）、その復元力によって基部２上の所定位置（この例では、基部２の中央部）に向けて中間部材３を基部２に対して相対的にスライドさせる。センタリング機構７は、本発明における弾性変形部の他の一例であって、図１に示すように、位置決め用ピン７ａ、ナット７ｂ、フランジ７ｃ，７ｅおよびスプリング７ｄを備えて基部２の基部本体１１に取り付けられている。この場合、このセンタリング機構７では、フランジ７ｅ、スプリング７ｄおよびフランジ７ｃを介して位置決め用ピン７ａが基部本体１１に固定されて、スプリング７ｄの弾性変形によって基部本体１１に対する位置決め用ピン７ａの傾動が許容されている。また、位置決め用ピン７ａは、その先端部が球状に形成されて基部本体１１の挿通孔１３を挿通させられて、図１に示すように、中間部材３の係合用穴２３に係合させられている。
【００２５】
この免震装置１の使用に際しては、まず、図２に示すように、家具Ｘの四隅に免震装置１，１・・を取り付ける。この際には、図５に示すように、家具Ｘの底面が物品載置部４の上面３１ａに接するように各免震装置１，１・・における物品載置部４の上に家具Ｘを載置した後に、ボルト８によって物品載置部４に家具Ｘを固定する（家具Ｘに各免震装置１，１・・を取り付ける）。この場合、免震装置１，１・・を取り付ける家具Ｘを載置する設置面ＧＬが図２に一点鎖線で示すように平坦なときには、各免震装置１，１・・における基部２、中間部材３および物品載置部４が設置面ＧＬに対して平行な状態となる。この結果、家具Ｘの底面と設置面ＧＬとが平行な状態が維持される。一方、家具Ｘを設置する設置面ＧＬが例えば図２に二点鎖線で示すように歪んでいるとき（凹凸しているとき）には、図５に示すように、基部２および中間部材３が設置面ＧＬに対して平行な状態となるように傾くと共に、物品載置部４が中間部材３に対して傾動するようにスライドさせられて上面３１ａ（家具Ｘの底面）がほぼ水平な状態となる。この際に、物品載置部４の凸部３３が半球状に形成されると共に、中間部材３の凹部２２が凸部３３と相補的形状に形成されているため、物品載置部４は、中間部材３における凹部２２の表面に沿って矢印Ａ，Ａの向きに回動するようにして中間部材３に対して相対的にスライドさせられる。この結果、歪んだ設置面ＧＬに対して底面が水平となった状態で免震装置１，１・・を介して家具Ｘが設置される。
【００２６】
この状態では、設置面ＧＬが極く僅かに振動していたとしても、その振動が基部２の脚１２，１２・・によって十分に減衰される結果、物品載置部４上の家具Ｘが設置面ＧＬと共に振動する事態が回避される。一方、地震などによって縦揺れして設置面ＧＬが家具Ｘに対して相対的に上動したとき（家具Ｘの底面に設置面ＧＬが接近したとき）には、脚１２，１２・・が弾性変形して縮んだ状態となる結果、家具Ｘを上動させようとする力が脚１２，１２・・によって吸収される。また、縦揺れして設置面ＧＬが家具Ｘに対して相対的に下動したとき（家具Ｘの底面から設置面ＧＬが離間したとき）には、脚１２，１２・・が弾性復帰する結果、設置面ＧＬと共に家具Ｘが下動する事態が回避される。この結果、設置面ＧＬに生じた縦揺れが十分に軽減される。
【００２７】
さらに、例えば地震が発生して設置面ＧＬが大きく横揺れしたときには、家具Ｘに伝達される横揺れが免震装置１，１・・によって十分に軽減される。具体的には、図５に示すように、横揺れ時に設置面ＧＬが矢印Ｂの向きに動いたときには、中間部材３が上面１１ａに沿って基部２に対して矢印Ｃの向きに相対的にスライドする。また、設置面ＧＬが矢印Ｃの向きに動いたときには、中間部材３が上面１１ａに沿って基部２に対して矢印Ｂの向きに相対的にスライドする。さらに、設置面ＧＬが同図における紙面奥側に向けて動いたときには、中間部材３が上面１１ａに沿って基部２に対して紙面手前側に向けて相対的にスライドする。また、設置面ＧＬが同図における紙面手前側に向けて動いたときには、中間部材３が上面１１ａに沿って基部２に対して紙面奥側に向けて相対的にスライドする。このように、設置面ＧＬの横揺れ時（水平方向に動いたとき）において、中間部材３が設置面ＧＬの横揺れ方向（すなわち、基部２の移動方向）とは逆向きに基部２に対して相対的にスライドする結果、中間部材３の静止状態、すなわち、物品載置部４を介して中間部材３上に載置されている家具Ｘの静止状態が維持される。これにより、地震発生時における家具Ｘの転倒が回避される。
【００２８】
また、この免震装置１では、図５に示すように、設置面ＧＬの横揺れに伴って中間部材３が基部２（設置面ＧＬ）に対して相対的にスライドさせられた際に、センタリング機構６，６・・におけるスプリング６ａが伸縮すると共に、センタリング機構７におけるスプリング７ｄが弾性変形する。具体的には、設置面ＧＬが矢印Ｂの向きに動くのに伴って中間部材３が基部２に対して矢印Ｃの向きに相対的にスライドさせられた際に、基部２に対する中間部材３のスライド方向手前側（同図における右側）のセンタリング機構６におけるスプリング６ａが伸び、かつ基部２に対する中間部材３のスライド方向側（同図における左側）のセンタリング機構６におけるスプリング６ａが縮む状態となる。また、基部２に対する中間部材３の相対的なスライドに伴い、その先端部が中間部材３の係合用穴２３に係合させられている位置決め用ピン７ａが基部２に対して傾くことにより、スプリング７ｄが弾性変形させられる。したがって、中間部材３を基部２に対して相対的にスライドさせようとする力が小さくなったとき（例えば、横揺れが止まったとき）には、スプリング６ａ，６ａ・・の復元力によって中間部材３を矢印Ｂの向きにスライドさせようとする力が働くこととなる。また、スプリング７ｄの復元力によって位置決め用ピン７ａが起立させられるため、中間部材３を矢印Ｂの向きにスライドさせようとする力が働くこととなる。この結果、中間部材３は、その中心がセンタリング機構６，７によって基部２の中心と一致する状態（中間部材が基部上の所定位置に位置した状態）に復帰させられる。
【００２９】
このように、この免震装置１によれば、複数のベアリング球５，５・・を介して、基部２、中間部材３および物品載置部４をこの順で積層すると共に、中間部材３における物品載置部４との対向面（上面２１ａ）に半球状の凸部と相補的形状の凹部２２を形成し、物品載置部４における中間部材３との対向面（下面３１ｂ）に半球状の凸部３３を形成したことにより、設置面ＧＬに歪みや傾きが生じていたとしても、中間部材３に対する物品載置部４のスライド（傾動）によって物品載置部４の上面３１ａをほぼ水平な状態に維持することができる。このため、この上面３１ａ上に載置されている家具Ｘ等の荷重を基部２と中間部材３との間に配設されている複数のベアリング球５，５・・に対してほぼ均等に分散できる結果、基部２に対して中間部材３をスムーズにスライドさせることができる。したがって、設置面ＧＬの横揺れに起因する家具Ｘの揺れを十分に軽減することができるため、地震発生時において家具Ｘの静止状態を維持してその転倒を回避することができる。
【００３０】
また、この免震装置１によれば、基部２に対する中間部材３のスライド時に弾性変形してその復元力によって基部２上の所定位置（この例では、基部２の中央部）に向けて中間部材３を基部２に対して相対的にスライドさせるセンタリング機構６，６・・およびセンタリング機構７を備えたことにより、中間部材３が基部２に対して相対的にスライドさせられた後にセンタリング機構６，７によって基部２上の所定位置に復帰させられるため、中間部材３が基部２上から脱落する事態を回避することができる。また、例えば、免震装置１，１・・上の家具Ｘに歩行者等の身体が触れただけで基部２（設置面ＧＬ）に対して中間部材３がスライドして家具Ｘが移動してしまう事態を回避することができる。
【００３１】
さらに、この免震装置１によれば、中間部材３における物品載置部４との対向面（上面２１ａ）に球受け穴５ａ，５ａ・・を形成したことにより、免震装置１の組み立て（設置）に際して、中間部材３上に物品載置部４を載置する以前にベアリング球５，５・・が中間部材３上を転がって中間部材３上の一カ所に集まる事態を回避することができる。これにより、ベアリング球５，５・・を中間部材３上に均等に配置した状態を維持することができる結果、中間部材３に対する物品載置部４のスムーズなスライドが可能な状態を長期に亘って維持することができる。
【００３２】
また、この免震装置１によれば、弾性変形が可能に構成された脚１２，１２・・を備えて基部２を構成したことにより、設置面ＧＬから家具Ｘに微振動が伝達される事態を回避することができると共に、ある程度の縦揺れを十分に軽減して家具Ｘが転倒する事態を回避することができる。また、脚１２，１２・・を弾性材料で形成することによって設置面ＧＬに対して滑り難くなるため、家具Ｘ（免震装置１）の意図しない移動（設置面ＧＬに対するスライド）を回避することができる。
【００３３】
さらに、この免震装置１によれば、物品（この例では、家具Ｘ）を固定するボルト８を備えて物品載置部４を構成したことにより、免震装置１，１・・上（物品載置部４上）の家具Ｘが物品載置部４の上面３１ａから脱落する事態（家具Ｘから免震装置１，１・・が外れる事態）を確実に回避することができる。
【００３４】
なお、本発明は、上記の構成に限定されない。例えば、上記の免震装置１では、物品載置部４の下面３１ｂに半球状の凸部３３を形成すると共に、中間部材３の上面２１ａに凸部３３と相補的形状の凹部２２を形成しているが、例えば、図６に示す免震装置１Ａのように、中間部材３Ａの下面５１ｂに半球状の凸部５２を形成すると共に（本発明における「他方」が凸部で構成された例）、基部２Ａの上面４１ａに凸部５２と相補的形状の凹部４２を形成する（本発明における「一方」が凹部で構成された例）こともできる。この免震装置１Ａは、前述した免震装置１における基部２、中間部材３および物品載置部４に代えて、基部２Ａ、中間部材３Ａおよび物品載置部４Ａを備えて構成されている。なお、免震装置１Ａ、および後に説明する免震装置１Ｂ，１Ｃにおいて免震装置１と同様の構成要素については、同一の符号を付して重複する説明を省略する。この場合、基部２Ａは、基部本体４１の上面４１ａに凹部４２が形成されると共に、その下面４１ｂが平坦に形成されて脚１２，１２・・が固定されている。また、中間部材３は、その上面５１ａが平坦に形成されると共に、その下面５１ｂに凸部５２が形成されてベアリング球５，５・・を介して基部２Ａ上に載置されている。なお、この中間部材３Ａには、挿通孔５３が形成されてセンタリング機構７が取り付けられている。さらに、物品載置部４Ａは、その上面６１ａおよび下面６１ｂの双方が平坦となるように形成されて、ベアリング球５，５・・を介して中間部材３Ａ上に載置されている。
【００３５】
この免震装置１Ａでは、設置面ＧＬが歪んでいるとき（凹凸しているとき）に、基部２Ａが設置面ＧＬに対して平行な状態となるように傾くと共に、中間部材３Ａおよび物品載置部４Ａが基部２Ａに対して傾動するように相対的にスライドさせられて上面６１ａ（家具Ｘの底面）がほぼ水平な状態となる。この結果、底面が水平となるように家具Ｘを設置することができる。また、例えば地震が発生して設置面ＧＬが大きく横揺れしたときには、設置面ＧＬ（基部２Ａおよび中間部材３Ａ）の横方向への動きに伴って物品載置部４Ａが設置面ＧＬが動く方向とは逆向きに中間部材３Ａに対して相対的にスライドする。この結果、物品載置部４Ａ上に載置されている家具Ｘの静止状態が維持されて家具Ｘの転倒が回避される。
【００３６】
このように、この免震装置１Ａによれば、複数のベアリング球５，５・・を介して、基部２Ａ、中間部材３Ａおよび物品載置部４Ａをこの順で積層すると共に、基部２Ａにおける中間部材３Ａとの対向面（上面４１ａ）に半球状の凸部と相補的形状の凹部４２を形成し、中間部材３Ａにおける基部２Ａとの対向面（下面５１ｂ）に半球状の凸部５２を形成したことにより、前述した免震装置１と同様にして、設置面ＧＬに歪みや傾きが生じていたとしても、基部２Ａに対する中間部材３Ａのスライド（傾動）によって物品載置部４Ａの上面６１ａをほぼ水平な状態に維持することができる。このため、中間部材３Ａと物品載置部４Ａとの間に配設されている複数のベアリング球５，５・・に対して家具Ｘの荷重をほぼ均等に分散できる結果、中間部材３Ａに対して物品載置部４Ａをスムーズにスライドさせることができる。したがって、設置面ＧＬの横揺れに起因する家具Ｘの揺れを十分に軽減することができるため、地震発生時において家具Ｘの静止状態を維持してその転倒を回避することができる。
【００３７】
また、この免震装置１Ａによれば、中間部材３Ａに対する物品載置部４Ａのスライド時に弾性変形してその復元力によって中間部材３Ａ上の所定位置（一例として、中間部材３Ａの中央部）に向けて物品載置部４を中間部材３Ａに対して相対的にスライドさせるセンタリング機構６，６・・およびセンタリング機構７を備えたことにより、物品載置部４Ａが中間部材３Ａに対して相対的にスライドさせられた後にセンタリング機構６，７によって所定位置に復帰させられるため、物品載置部４Ａが中間部材３Ａ上から脱落する事態が生じるのを回避することができる。また、例えば、免震装置１Ａ，１Ａ・・上の家具Ｘに歩行者等の身体が触れただけで中間部材３Ａ（設置面ＧＬ）に対して物品載置部４Ａがスライドして家具Ｘが移動してしまう事態を回避することができる。
【００３８】
さらに、上記の免震装置１，１Ａでは、本発明における「一方」を凹部（この例では、中間部材３の凹部２２、および基部２Ａの凹部４２）で構成すると共に、本発明における「他方」を凸部（物品載置部４の凸部３３、および中間部材３Ａの凸部５２）で構成したが、本発明における「一方」を凸部で構成すると共に、本発明における「他方」を凹部で構成することもできる。具体的には、例えば、図７に示す免震装置１Ｂのように、中間部材３Ｂの上面７１ａに半球状の凸部７２を形成すると共に、物品載置部４Ｂの下面８１ｂに凸部７２と相補的形状の凹部８２を形成することもできる。なお、中間部材３Ｂにおける下面７１ｂは、免震装置１における中間部材３の下面２１ｂと同様にして平坦に形成され、物品載置部４Ｂにおける上面８１ａは、免震装置１における物品載置部４の上面３１ａと同様にして平坦に形成されている。また、図８に示す免震装置１Ｃのように、基部２Ｃの上面９１ａに半球状の凸部９２を形成すると共に、中間部材３Ｃの下面１０１ｂに凸部９２と相補的形状の凹部１０２を形成することもできる。なお、基部２Ｃの基部本体９１における下面９１ｂは、免震装置１における基部２の下面１１ｂなどと同様にして平坦に形成され、中間部材３Ｃにおける上面１０１ａは、免震装置１Ａにおける中間部材３Ｂの上面５１ａと同様にして平坦に形成されている。このように、凹部および凸部を免震装置１，１Ａとは反対となるように形成した免震装置１Ｂ，１Ｃにおいても、免震装置１，１Ａと同様にして、家具Ｘの底面が水平となるように設置することができる。したがって、横揺れ時におけるスムーズなスライドが許容されて家具Ｘの転倒を十分に回避することができる。
【００３９】
また、前述した免震装置１では、中間部材３における物品載置部４との対向面（上面２１ａ）に球受け穴５ａ，５ａ・・を形成したが、図９に示す免震装置１Ｄのように、基部２Ｄ（基部本体１１）における中間部材３との対向面（上面１１ａ）に球受け穴５ａ，５ａ・・を形成してもよい。この構成によれば、免震装置１Ｄの組み立て（設置）に際して、基部２Ｄ上に中間部材３を載置する以前にベアリング球５，５・・が基部２Ｄ上を転がって基部２上の一カ所に集まる事態を回避することができる。これにより、ベアリング球５，５・・を基部２上に均等に配置した状態を維持することができる結果、基部２に対する中間部材３のスムーズなスライドが可能な状態を長期に亘って維持することができる。さらに、図１０に示す免震装置１Ｅのように、中間部材３Ｅにおける物品載置部４Ａとの対向面（上面５１ａ）に球受け穴５ａ，５ａ・・を形成してもよい。この構成によれば、免震装置１Ｅの組み立て（設置）に際して、中間部材３Ｅ上に物品載置部４Ａを載置する以前にベアリング球５，５・・が中間部材３Ｅ上を転がって一カ所に集まる事態を回避することができる結果、中間部材３Ｅに対する物品載置部４Ａのスムーズなスライドが可能な状態を長期に亘って維持することができる。なお、上記のような球受け穴５ａ，５ａ・・は、本発明に係る免震装置に必須の構成要件ではなく、一例として、多数のベアリング球５，５・・を互いに接触させるように敷き詰める構成を採用したときには、球受け穴５ａ，５ａ・・を不要とすることができる。
【図面の簡単な説明】
【００４０】
【図１】免震装置１の構成を示す側面断面図である。
【図２】家具Ｘに取り付けた状態の免震装置１，１・・の側面図である。
【図３】上面１１ａ側から見た基部２（基部本体１１）の平面図である。
【図４】上面２１ａ側から見た中間部材３の平面図である。
【図５】家具Ｘに取り付けられて設置面ＧＬ上に設置された免震装置１の側面断面図である。
【図６】免震装置１Ａの構成を示す側面断面図である。
【図７】免震装置１Ｂの構成を示す側面断面図である。
【図８】免震装置１Ｃの構成を示す側面断面図である。
【図９】免震装置１Ｄの構成を示す側面断面図である。
【図１０】免震装置１Ｅの構成を示す側面断面図である。
【符号の説明】
【００４１】
１，１Ａ〜１Ｅ  免震装置
２，２Ａ，２Ｄ  基部
３，３Ａ〜３Ｃ，３Ｅ  中間部材
４，４Ａ，４Ｂ  物品載置部
５  ベアリング球
５ａ  球受け穴
６，７  センタリング機構
６ａ，７ｄ  スプリング
８  ボルト
１１，４１  基部本体
１１ａ，２１ａ，３１ａ，４１ａ，５１ａ，６１ａ，７１ａ，８１ａ，９１ａ，１０１ａ  上面
１１ｂ，２１ｂ，３１ｂ，４１ｂ，５１ｂ，６１ｂ，７１ｂ，８１ｂ，９１ｂ，１０１ｂ  下面
１２  脚
２２，４２，８２，１０２  凹部
３３，５２，７２，９２  凸部
ＧＬ  設置面
Ｘ  家具
【図１】
2006336815.tif 000003
【図２】
2006336815.tif 000004
【図３】
2006336815.tif 000005
【図４】
2006336815.tif 000006
【図５】
2006336815.tif 000007
【図６】
2006336815.tif 000008
【図７】
2006336815.tif 000009
【図８】
2006336815.tif 000010
【図９】
2006336815.tif 000011
【図１０】
2006336815.tif 000012